(57)【要約】【課題】この発明は使用可能な面積を簡単な操作で拡大することができるようにしたテーブル装置を提供することにある。【解決手段】枠体１と、この枠体を所定の高さに支持した脚体４と、２つに分割され上記枠体に接離する方向に移動可能に設けられた第１のテーブル板５及び第２のテーブル板６と、上記第１、第２のテーブル板の接合部分の下面側にばね１４によって上昇方向に弾性的に付勢されて設けられた補助テーブル板１６と、この補助テーブル板を上記ばねの復元力に抗して上記第１、第２のテーブル板の下面側に保持するとともに、上記第１、第２のテーブル板を所定間隔で離間させて保持状態を解除することで上記ばねの復元力によって上記補助テーブル板を上記第１、第２のテーブル板とほぼ同じ高さに上昇可能とする保持機構２１とを具備する。【選択図】　　図１
2004081668.tif 000002
【特許請求の範囲】
【請求項１】
枠体と、
この枠体を所定の高さに支持した脚体と、
２つに分割され上記枠体に接離する方向に移動可能に設けられた第１のテーブル板及び第２のテーブル板と、
上記第１、第２のテーブル板の接合部分の下面側にばねによって上昇方向に弾性的に付勢されて設けられた補助テーブル板と、
この補助テーブル板を上記ばねの復元力に抗して上記第１、第２のテーブル板の下面側に保持するとともに、上記第１、第２のテーブル板を所定間隔で離間させて保持状態を解除することで上記ばねの復元力によって上記補助テーブル板を上記第１、第２のテーブル板とほぼ同じ高さに上昇可能とする保持機構と、
を具備したことを特徴とするテーブル装置。
【請求項２】
上記保持機構は、上記枠体の所定方向の両端部の内面に設けられ下端部が係合部に形成されたＬ字状のガイド溝と、上記枠体の所定方向に位置する上記補助テーブル板の両端部に設けられ上記ガイド溝に移動可能に挿入されるとともに上記補助テーブル板を水平方向に移動させて上記係合部との係合を外すことでこの補助テーブル板を上記ばねの復元力によって上昇可能とするガイド軸とを備えていることを特徴とする請求項１記載のテーブル装置。
【請求項３】
上記ばねはコイルばねであって、このコイルばねは、軸方向の下端部が上記枠体の所定方向に沿って架設された受け桟の上面に開口して形成された下部保持孔に挿入保持され、上端部が上記補助テーブル板の下面に開口するとともに上記ガイド軸を上記ガイド溝の係合部から外すときに上記補助テーブルを移動させる方向に沿って長く形成された上部保持孔に挿入保持されていることを特徴とする請求項２記載のテーブル装置。
【請求項４】
上記第１のテーブル板と第２のテーブル板との接合するそれぞれの端面には、互いに磁気結合してこれらテーブル板の接合状態を保持する第１の磁気結合部材が設けられ、上記補助テーブル板の端面にはこの補助テーブル板が上記ばねの復元力によって上昇したときに上記第１の磁気結合部材と磁気結合して上記補助テーブル板を上昇位置で保持する第２の磁気結合部材が設けられていることを特徴とする請求項１記載のテーブル装置。
【発明の詳細な説明】
【０００１】
【発明の属する技術分野】
この発明はテーブル面として使用する面積を使用状態に応じて変えることができるテーブル装置に関する。
【０００２】
【従来の技術】
テーブル装置は脚体によって所定の高さに支持された枠体を有し、この枠体にはテーブル板が設けられて構成されており、購入者は使用する人数や設置場所などに応じて所定の大きさのテーブル板を備えたものを選択する。
【０００３】
利用する人数や設置場所などの利用条件が一定であれば、一定の大きさの天板を備えたテーブル装置を用いることで不便なく利用することができる。しかしながら、たとえば利用人数が二人であるため、二人用の大きさのテーブル装置を利用している場合、来客によって利用人数が増加すると、二人用のテーブル装置ではテーブル板が小さく、使い難くいとうことがある。
【０００４】
また、ダイニングルームが十分に広くない場合、使用時にだけテーブル板を大きくし、不使用時にはテーブル板を小さくしておくことができれば、ダイニングルームのスペースを有効に利用することができるということがある。
【０００５】
そこで、テーブル板を２つに分割しこれらテーブル板を上記枠体に接離する方向に移動可能に設け、離反する方向に移動させたときに、２つのテーブル板の間に補助テーブル板を上昇させて保持することで、テーブル板全体の大きさを変えることができるようにしたテーブル装置が知られており、そのようなテーブル装置としてはたとえば実開平１−１６１６３１号公報に示されている。
【０００６】
上記公報に示されたテーブル装置は、２つに分割されたテーブル板が支持枠（枠体）に接離する方向に移動可能に設けられている。テーブル板の下面側には補助テーブル板が回転可能に支持されており、一対のテーブル板を補助テーブル板の幅寸法よりも大きな間隔で離間させた後、上記補助テーブル板を１８０度回転させることで、そのときの上面がテーブル板の上面と同じ高さになるよう上昇する。
【０００７】
２つのテーブル板の端面には爪板が設けられており、補助テーブル板を１８０度回転させた後、２つのテーブル板を接近方向に移動させて上記補助テーブル板を挟むことで、この補助テーブル板の下面を上記爪板に係合させて回転不能に保持できるようになっている。
【０００８】
【発明が解決しようとする課題】
ところで、このような構成のテーブル装置によると、テーブル板の使用面積を拡大する変換時には、２つのテーブル板を離反する方向に移動させた後、補助テーブル板を１８０度回転させ、その状態で補助テーブル板を保持しながら２つのテーブル板を接近方向に移動させて補助テーブル板に爪板を係合させなければならない。
【０００９】
そのため、回転させた上記補助テーブル板を保持しながら２つのテーブル板を接近方向に移動させなければならないため、その変換作業を一人で行うことが容易でなく、使い難いということがある。
【００１０】
上記補助テーブル板を上昇位置で保持した状態で、２つのテーブル板を不用意に離反する方向に移動させてしまうことがあり、そのような場合には、テーブル板に設けられた爪板が補助テーブル板から外れ、この補助テーブル板が回転してしまうから、補助テーブル板の上に物が載っている場合には落下させてしまうことがある。
【００１１】
この発明は、補助テーブル板を用いて使用可能面積を大きくしたり、小さくする際の変換作業を容易に行うことができ、しかも不用意にテーブル板を移動させても、補助テーブル板が回転することがないようにしたテーブル装置を提供することにある。
【００１２】
【課題を解決するための手段】
請求項１の発明は、枠体と、
この枠体を所定の高さに支持した脚体と、
２つに分割され上記枠体に接離する方向に移動可能に設けられた第１のテーブル板及び第２のテーブル板と、
上記第１、第２のテーブル板の接合部分の下面側にばねによって上昇方向に弾性的に付勢されて設けられた補助テーブル板と、
この補助テーブル板を上記ばねの復元力に抗して上記第１、第２のテーブル板の下面側に保持するとともに、上記第１、第２のテーブル板を所定間隔で離間させて保持状態を解除することで上記ばねの復元力によって上記補助テーブル板を上記第１、第２のテーブル板とほぼ同じ高さに上昇可能とする保持機構と、
を具備したことを特徴とするテーブル装置にある。
【００１３】
請求項２の発明は、上記保持機構は、上記枠体の所定方向の両端部の内面に設けられ下端部が係合部に形成されたＬ字状のガイド溝と、上記枠体の所定方向に位置する上記補助テーブル板の両端部に設けられ上記ガイド溝に移動可能に挿入されるとともに上記補助テーブル板を水平方向に移動させて上記係合部との係合を外すことでこの補助テーブル板を上記ばねの復元力によって上昇可能とするガイド軸とを備えていることを特徴とする請求項１記載のテーブル装置にある。
【００１４】
請求項３の発明は、上記ばねはコイルばねであって、このコイルばねは、軸方向の下端部が上記枠体の所定方向に沿って架設された受け桟の上面に開口して形成された下部保持孔に挿入保持され、上端部が上記補助テーブル板の下面に開口するとともに上記ガイド軸を上記ガイド溝の係合部から外すときに上記補助テーブルを移動させる方向に沿って長く形成された上部保持孔に挿入保持されていることを特徴とする請求項２記載のテーブル装置にある。
【００１５】
請求項４の発明は、上記第１のテーブル板と第２のテーブル板との接合するそれぞれの端面には、互いに磁気結合してこれらテーブル板の接合状態を保持する第１の磁気結合部材が設けられ、上記補助テーブル板の端面にはこの補助テーブル板が上記ばねの復元力によって上昇したときに上記第１の磁気結合部材と磁気結合して上記補助テーブル板を上昇位置で保持する第２の磁気結合部材が設けられていることを特徴とする請求項１記載のテーブル装置にある。
【００１６】
この発明によれば、テーブル板の下面側に補助テーブル板をばねの復元力に抗して弾性的に保持し、使用面積を拡大するときには第１、第２のテーブル板を離間させて補助テーブルを露出させてから、上記補助テーブル板のばねによる保持状態を解除し、そのばねの復元力によって上記補助テーブル板を上昇させることができる。
【００１７】
【発明の実施の形態】
以下、図面を参照しながらこの発明の実施の形態を説明する。
【００１８】
図１（ａ），（ｂ）はこの発明の一実施の形態に係るテーブル装置の断面図を示し、このテーブル装置１は枠体１を備えている。この枠体１は一対の帯板状の側板２の長手方向両端部を一対の帯板状の端板３によって連結して矩形枠状に形成されている。この枠体１の四隅部には脚体４が設けられ、この脚体４によって枠体１は所定の高さに保持されている。なお、上記側板２は上記端板３よりも高さ寸法が大きくなっており、側板２と端板３とは下端面を一致させて連結されている。
【００１９】
上記枠体１には第１のテーブル板５と第２のテーブル板６とが接離する方向、この実施の形態では枠体１の側板２の長手方向に沿って移動可能に設けられている。すなわち、一対の側板２の内面の両端部にはそれぞれ断面形状がＬ字状をなした支持部材７が一辺をねじ８によって固定して設けられている。各支持部材７の水平となった他辺には、その長手方向にほぼ全長にわたって長孔９（図３（ａ）（ｂ）に示す）が形成されている。なお、支持部材７の他辺は側板２の上端面よりも所定寸法下方に位置している。
【００２０】
第１のテーブル板５と第２のテーブル板６との幅方向両端部の下面には、それぞれ一対の頭付きの第１のガイド軸１１（図３（ａ）に示す）が所定の間隔で設けられている。これら第１のガイド軸１１は各支持部材７の長孔９に移動可能に係合している。
【００２１】
したがって、第１のテーブル板５と第２のテーブル板６は、図１（ａ）に示すように長手方向の一端面を接合させた状態から、図１（ｂ）に示すように上記一端面が所定の間隔で離間する状態に移動させることができるようになっている。
【００２２】
上記枠体１の長手方向の中途部で、上記第１、第２のテーブル板５，６の下面側には、上記一対の側板２間に一対の受け桟１２が所定間隔で架設されている。一対の受け桟１２の両端部には下部保持孔１３が厚さ方向に貫通して形成されている。この下部保持孔１３の下端開口は上記受け桟１２に設けられたＵ字状の金具１４ａによって閉塞されている。
【００２３】
図３（ａ）〜（ｃ）に示すように、一対の受け桟１２に形成された合計４つの下部保持孔１３にはコイルばね１４が軸方向の下端部を挿入して保持されている。各コイルばね１４の軸方向上端部は矩形状の補助テーブル板１６の四隅部に下面に開口して形成された上部保持孔１７に挿入保持されている。上記下部保持孔１３は上記コイルばね１４とほぼ同径であり、上記上部保持孔１７は上記枠体１の長手方向に沿って長く形成されている。
【００２４】
上記補助テーブル板１６は、通常は図１（ａ）と図３（ａ）に示すように、上記コイルばね１４を圧縮し、その状態で保持機構２１により上記コイルばね１４の復元力に抗して上記第１、第２のテーブル板５，６の下面側に保持される。
【００２５】
図１（ｂ）と図３（ｂ）に示すように第１、第２のテーブル板５，６を離間する方向に移動させて所定間隔で開き、上記補助テーブル板１６の上記保持機構２１による保持状態を解除すると、上記補助テーブル板１６は上記コイルばね１４の復元力によって第１、第２のテーブル板５，６とほぼ同じ高さに上昇する。
【００２６】
上記保持機構２１は４枚のガイド板２２を有する。各ガイド板２２は、上記側板２の内面で、上記補助テーブル板１６の幅方向両端面の長手方向両端部に対応する位置に設けられている。各ガイド板２２にはＬ字状のガイド溝２３が形成されており、このガイド溝２３の水平な下端部は係合部２４となっている。
【００２７】
上記補助テーブル板１６の各ガイド板２２と対応する四隅部の下面には、図５（ａ），（ｂ）に示すように第２のガイド軸２５が固着された取付け板２６がねじ止め固定されている。各第２のガイド軸２５の一端部は上記補助テーブル板１６の幅方向の両端面から外方へ突出し、その突出端部は上記ガイド板２２のガイド溝２３にスライド可能に挿入されている。
【００２８】
上記第２のガイド軸２５が上記ガイド溝２３の係合部２４に係合した状態において、上記補助テーブル板１６と受け桟１２との間に設けられたコイルばね１４は弾性的に圧縮される。
【００２９】
第１、第２のテーブル板５，６を、これらテーブル板５，６に設けられた上記第１のガイド軸１１が支持部材７に形成された長孔９の末端に当接するまで離反する方向に移動させ後、これらのテーブル板５，６間に露出した補助テーブル板１６をコイルばね１４の復元力に抗して図３（ｃ）に矢印Ｘで示す下方へ押圧した後、同図に矢印Ｙで示す水平方向へ移動させる。
【００３０】
それによって、補助テーブル板１６の四隅部に設けられた上記第２のガイド軸２５が上記ガイド溝２３の係合部２４から外れるから、その状態で補助テーブル板１６に加えた押圧力を除去すれば、この補助テーブル板１６をコイルばね１４の復元力によって上昇させることができる。そして、補助テーブル１６は、上記第１、第２のテーブル板５，６とほぼ同じ高さに上昇する。
【００３１】
図１（ａ）と図３（ａ）に示すように、第１のテーブル板５と第２のテーブル板６との接合する端面には、それぞれ磁気的に結合する第１の磁気結合部材３１が埋設されている。それによって、一端面を接合させた第１のテーブル板５と第２のテーブル板６とは磁気的に結合されるから、不用意に離反する方向にスライドするのが阻止されている。
【００３２】
上記第１、第２のテーブル板５，６の他端面側の下面には、これらのテーブル板５，６を移動させるときに手を掛けるための手掛け孔３０が形成されている。
【００３３】
上記補助テーブル板１６の幅方向と交差する方向の両端面には、それぞれ上記第１の磁気結合部材３１と磁気的に結合する第２の磁気結合部材３２が埋設されている。
【００３４】
所定の間隔で離間した第１のテーブル板５と第２のテーブル板６との間に補助テーブル板１６を上昇させた後、第１の第２のテーブル板５，６の端面で補助テーブル板１６を挟持すれば、この補助テーブル板１６の両端面に設けられた第２の磁気結合部材３２が上記第１、第２のテーブル板５，６の端面に設けられた第１の磁気結合部材３１と磁気的に結合する。
【００３５】
それによって、補助テーブル板１６は上記第１、第２の磁気結合部材３１，３２の磁気結合によって保持されるから、補助テーブル板１６に荷重が加わっても、この補助テーブル板１６が弾性的に変位するのが防止される。
【００３６】
なお、第１、第２の磁気結合部材３１，３２は、互いに磁気結合する永久磁石であってもよいが、どちらか一方が永久磁石で、他方が磁性体であってもよく、要は互いに磁気結合可能名材料であればよい。
【００３７】
このような構成のテーブル装置によれば、図１（ａ）や図４（ａ）に示すように、テーブル板の面積を拡大せずに使用したり、図１（ｂ）や図４（ｂ）に示すように、テーブル板の面積を拡大して使用することができる。
【００３８】
テーブル板の使用面積を拡大する場合には、第１のテーブル板５と第２のテーブル板６とを所定の間隔で離間させて補助テーブル板１６を露出させた後、保持機構２１によりコイルばね１４の復元力に抗して下降位置で保持された補助テーブル板１６の保持状態を解除する。
【００３９】
つまり、第１、第２のテーブル板５，６を離間方向にスライドさせ、これらのテーブル板５，６間に補助テーブル板１６を露出させた後、この補助テーブル板１６をコイルばね１４の復元力に抗して下方へ押圧し、第２のガイド軸２５がガイド溝２３の係合部２４から外れるよう上記補助テーブル板１６を図３（ｃ）に矢印Ｙで示す水平方向に移動させる。
【００４０】
このとき、コイルばね１４の上端部が挿入保持された上部保持孔１７は、補助テーブル板１６をスライドさせるＹ方向に沿って長から、コイルばね１４の上端部は上記上部保持孔１７内を移動する。そのため、補助テーブル板１６を移動させても、コイルばね１４が倒れるのを防止できるから、補助テーブル板１６をＹ方向に円滑に移動させることができる。
【００４１】
ついで、補助テーブル板１６に加えた押圧力を除去すれば、この補助テーブル板１６がコイルばね１４の復元力によって上記第１、第２のテーブル板５，６とほぼ同じ高さに上昇する。
【００４２】
その状態で、第１、第のテーブル板５，６の端面を補助テーブル板１６の端面に接合させ、これらの端面に設けられた第１、第２の磁気結合部材３１，３２を磁気結合させれば、上記補助テーブル板１６を磁気結合力によって下降不能に保持することができる。
【００４３】
補助テーブル板１６を使用しない場合には、上昇した補助テーブル板１６をコイルばね１４の復元力に抗して下降方向に押圧する。そして、補助テーブル板１６の四隅部に設けられた第２のガイド軸２５がガイド溝２３の下端に到達し、それ以上下降不能になったならば、上記補助テーブル板１６を図３（ｃ）に矢印Ｙで示す方向と逆方向に水平移動させる。
【００４４】
それによって、上記ガイド軸２５がガイド溝２３の係合部２４に係合するから、上記補助テーブル板１６を下降状態で上記コイルばね１４の復元力に抗して上昇不能に保持することができる。
【００４５】
ついで、第１のテーブル板５と第２のテーブル板６とを接近方向にスライドさせ、これらの端面に設けられた第１の磁気結合部材３１を磁気結合させれば、補助テーブル板１６を第１、第２のテーブル板５，６の下面側に収容することができる。
【００４６】
このように、補助テーブル板１６を使用したり、不使用時に第１、第２のテーブル板５，６の下面側に収容する場合、この補助テーブル板１６をコイルばね１４の復元力に抗して押圧しながら所定方向にスライドさせるだけでよいから、使用時や不使用時における変換操作を容易かつ迅速に行うことができる。
【００４７】
しかも、補助テーブル板１６をコイルばね１４によって弾性的に保持するとともに、保持機構２１によって上記補助テーブル板１６を下降位置で保持できるようにしただけの構成であるから、比較的簡単な構成であるばかりか、使用する部品点数も少なくてすむ。
【００４８】
【発明の効果】
以上のようにこの発明は、テーブル板の下面側に補助テーブル板をばねの復元力に抗して弾性的に保持し、使用面積を拡大するときには第１、第２のテーブル板を離間させて補助テーブル板を露出させてから、上記補助テーブル板のばねによる保持状態を解除し、そのばねの復元力によって上記補助テーブル板を上昇させるようにした。
【００４９】
そのため、上記補助テーブル板を上昇させたり、下降させる操作を容易に行うことが可能であるから、使い勝手を向上させることができるばかりか、少ない部品点数で簡単な構成とすることができるなどの利点を有する。
【図面の簡単な説明】
【図１】（ａ），（ｂ）この発明の一実施の形態に係るテーブル装置の縦断面図。
【図２】テーブル装置の平面図。
【図３】（ａ）〜（ｃ）は補助テーブル板と保持機構との一部を拡大して示す断面図。
【図４】（ａ），（ｂ）はテーブル装置の斜視図。
【図５】（ａ），（ｂ）はガイド軸が取付けられた取付け板の図。
【符号の説明】
１…枠体
４…脚体
５…第１のテーブル板
６…第２のテーブル板
１２…受け桟
１３…下部保持孔
１４…コイルばね
１６…補助テーブル板
１７…上部保持孔
２１…保持機構
２５…第２のガイド軸
３１…第１の磁気結合部材
３２…第２の磁気結合部材
【図１】
2004081668.tif 000003
【図２】
2004081668.tif 000004
【図３】
2004081668.tif 000005
【図４】
2004081668.tif 000006
【図５】
2004081668.tif 000007